(57)【要約】【課題】  効率的な金属イオンの溶出を長期に亘り持続させることができる水処理具の提供。【解決手段】  処理すべき水中に没することで溶出される金属イオンによって所定の水処理を行う水処理具であって、炭素を含む繊維シートと炭素よりも電位の低い（イオン化傾向が大きい）金属板を１枚ずつ、若しくは複数枚を交互に重ねた状態で前記金属が外面になるように巻回し、これをプレスまたは圧延により重ね方向に押し潰して炭素を含む繊維シートと金属板とを互いに密着させた状態に維持させた構成とすることにより、両端面に炭素を含む繊維シートと金属板との接触境界部分が水と接触する状態で露出形成されている構成。【選択図】        なし【特許請求の範囲】
【請求項１】
処理すべき水中に没することで溶出される金属イオンによって所定の水処理を行う水処理具であって、
炭素を含む繊維シートと炭素よりも電位の低い（イオン化傾向が大きい）金属板を１枚ずつ、若しくは複数枚を交互に重ねた状態で前記金属が外面になるように巻回し、これをプレスまたは圧延により重ね方向に押し潰して前記炭素を含む繊維シートと前記金属板とを互いに密着させた状態に維持させた構成とすることにより、両端面に前記炭素を含む繊維シートと前記金属板との接触境界部分が水と接触する状態で露出形成されていることを特徴とする水処理具。
【請求項２】
押し潰す際に前記金属板の溶融点以上の温度を短時間だけ加えることにより、前記金属板を完全に溶融させることなしに前記炭素を含む繊維シートの少なくとも一部が前記金属板内に鋳込まれた状態に構成されていることを特徴とする請求項１に記載の水処理具。
【請求項３】
押し潰された前記炭素を含む繊維シート及び前記金属板を貫く孔を多数切削もしくは打ち抜くことにより、該各孔の内周面に前記炭素を含む繊維シートと前記金属板との接触境界部分が水に接触する状態で露出形成されていること特徴とする請求項１又は２に記載の水処理具。
【請求項４】
押し潰された前記炭素を含む繊維シート及び前記金属板に千鳥状に切れ目を入れて押し広げて略菱形網目状に加工することにより、押し広げられた各切れ目部分に前記炭素を含む繊維シートと前記金属板との接触境界部分が水に接触する状態で露出形成されていること特徴とする請求項１又は２に記載の水処理具。
【請求項５】
処理すべき水中に没することで溶出される金属イオンによって所定の水処理を行う水処理具であって、
炭素を含む繊維シートの少なくとも片面に炭素よりも電位の低い（イオン化傾向が大きい）金属を蒸着メッキコーティングすることにより、前記炭素を含む繊維シート面全体に炭素を含む繊維シートと前記金属との接触境界部分が水に接触する状態で露出形成されていることを特徴とする水処理具。
【請求項６】
前記シート状水処理具を複数枚重ねもしくは１枚のシート状水処理具を複数回折り曲げもしくは折回して重ね、これを重ね方向にニードルパンチングして前記繊維シートの繊維同士を互いに絡ませることにより前記蒸着メッキ金属が炭素繊維シートに密着された状態に維持されていることを特徴とする請求項５に記載の水処理具。
【請求項７】
処理すべき水中に没することで溶出される金属イオンによって所定の水処理を行う水処理具であって、
炭素を含む繊維シートにおける各繊維の表面の略全面に炭素よりも電位の低い（イオン化傾向が大きい）金属を蒸着メッキコーティングした金属メッキシートと炭素を含む繊維シートを１枚ずつ若しくは交互に複数枚重ね、これを重ね方向にニードルパンチングして前記繊維シートの繊維同士を互いに絡ませることにより前記金属メッキシートにおける前記蒸着メッキ金属が炭素を含む繊維シートに密着された状態に維持されていることを特徴とする水処理具。
【請求項８】
処理すべき水中に没することで溶出される金属イオンによって所定の水処理を行う水処理具であって、
炭素を含む２枚の繊維シートの間に炭素よりも電位の低い（イオン化傾向が大きい）金属箔を挟んだ状態で、これを重ね方向にニードルパンチングして前記繊維シートの繊維同士を互いに絡ませることにより前記金属箔の両面全体に亘り前記炭素を含む２枚の繊維シートの各繊維に密着された状態に維持されていることを特徴とする水処理具。
【請求項９】
処理すべき水中に没することで溶出される金属イオンによって所定の水処理を行う水処理具であって、
炭素を含む繊維シートの間に炭素よりも電位の低い（イオン化傾向が大きい）金属箔を１枚ずつ若しくは交互に複数枚重ねて最上層と最下層が前記繊維シートになるように積層させた状態で、これを重ね方向にニードルパンチングして前記繊維シートの繊維同士を互いに絡ませることにより前記金属箔の両面全体に亘り前記炭素を含む２枚の繊維シートの各繊維に密着された状態に維持されていることを特徴とする水処理具。
【請求項１０】
処理すべき水中に没することで溶出される金属イオンによって所定の水処理を行う水処理具であって、
炭素を含む繊維シートと炭素よりも電位の低い（イオン化傾向が大きい）金属を含む金属繊維シートを１枚ずつ若しくは交互に複数枚重ね、これを重ね方向にニードルパンチングして前記炭素を含む繊維シートと前記金属繊維シートとの繊維同士を互いに絡ませることにより前記炭素を含む繊維シートと金属繊維シートとが互いに密着された状態に維持されていることを特徴とする水処理具。
【請求項１１】
処理すべき水中に没することで溶出される金属イオンによって所定の水処理を行う水処理具であって、
２枚の熱可塑性樹脂シート相互間に炭素を含む繊維シートと該炭素よりも電位の低い（イオン化傾向が大きい）金属箔を重ねた状態で任意間隔のもとに複数個所に貫通孔が穿設されたものを挟みこみ、これを加圧状態で加熱して前記貫通孔の部分で２枚の熱可塑性樹脂シートを接合させることにより前記４層が接合一体化され、
前記２枚の熱可塑性樹脂シートのうち、前記金属箔側の樹脂シートの外面には所定の箇所への粘着固定が可能な粘着剤層が形成され、前記炭素を含む繊維シート側の樹脂シートには多数の小孔が形成されることにより、前記炭素を含む繊維シートと前記金属箔との接触境界部分が前記多数の小孔を介して水と接触する状態で露出形成されていることを特徴とする水処理具。
【請求項１２】
処理すべき水中に没することで溶出される金属イオンによって所定の水処理を行う水処理具であって、
炭素を含む粒、塊等の表面の一部に炭素よりも電位の低い（イオン化傾向が大きい）金属を蒸着メッキコーティングすることにより、前記炭素を含む粒、塊等の表面に前記金属との接触境界部分が水に接触する状態で露出形成されていることを特徴とする水処理具。
【発明の詳細な説明】
【技術分野】
【０００１】
本発明は、処理すべき水中に没することで溶出される金属イオンによって所定の水処理を行う水処理具に関する。
【背景技術】
【０００２】
従来のこの種の水処理具としては、気泡コンクリート製漁礁本体の中空部に鉄と鉄に比べ電位の高い金属、例えばグラファイト、活性炭等の炭素との混合物を充填して海水中に浸漬させることにより、鉄イオンを効率的に溶出させるようにした技術が開示されている（例えば、特許文献１参照）。
【０００３】
【特許文献１】特開平６−２０６８０４号公報  （明細書（３）頁、図１）
【発明の開示】
【発明が解決しようとする課題】
【０００４】
しかしながら、上述の従来例にあっては、鉄と炭素との混合物を気泡コンクリート製漁礁本体の中空部内に単に充填させた構造であったため、鉄と炭素が接触している部分において、最初のうちは鉄イオンが溶出されるが、鉄イオンの溶出により鉄が小さくなると、炭素との接触が解除され、そうすると、鉄の表面に酸化皮膜が形成されてそれ以後の鉄イオンの効率的な溶出が停止されると共に、分離された鉄が海流等よって中空部から流れ出し、鉄単独の状態になるもので、これにより、効率的な鉄イオンの溶出を持続させることができないという問題があった。
【０００５】
本発明は、かかる従来の問題点を解決するためになされたものであって、その目的とするところは、効率的な金属イオンの溶出を長期に亘り持続させることができる水処理具を提供することにある。
【課題を解決するための手段】
【０００６】
前記目的を達成するための手段として、請求項１記載の水処理具は、処理すべき水中に没することで溶出される金属イオンによって所定の水処理を行う水処理具であって、炭素を含む繊維シートと炭素よりも電位の低い（イオン化傾向が大きい）金属板を１枚ずつ、若しくは複数枚を交互に重ねた状態で前記金属が外面になるように巻回し、これをプレスまたは圧延により重ね方向に押し潰して前記炭素を含む繊維シートと前記金属板とを互いに密着させた状態に維持させた構成とすることにより、両端面に前記炭素を含む繊維シートと前記金属板との接触境界部分が水と接触する状態で露出形成されていることを特徴とする手段とした。
【０００７】
請求項２記載の水処理具は、請求項１に記載の水処理具において、押し潰す際に前記金属板の溶融点以上の温度を短時間だけ加えることにより、前記金属板を完全に溶融させることなしに前記炭素を含む繊維シートの少なくとも一部が前記金属板内に鋳込まれた状態に構成されていることを特徴とする手段とした。
【０００８】
請求項３記載の水処理具は、請求項１又は２に記載の水処理具において、押し潰された前記炭素を含む繊維シート及び前記金属板を貫く孔を多数切削もしくは打ち抜くことにより、該各孔の内周面に前記炭素を含む繊維シートと前記金属板との接触境界部分が水に接触する状態で露出形成されていること特徴とする手段とした。
【０００９】
請求項４記載の水処理具は、請求項１又は２に記載の水処理具において、押し潰された前記炭素を含む繊維シート及び前記金属板に千鳥状に切れ目を入れて押し広げて略菱形網目状に加工することにより、押し広げられた各切れ目部分に前記炭素を含む繊維シートと前記金属板との接触境界部分が水に接触する状態で露出形成されていること特徴とする手段とした。
【００１０】
請求項５記載の水処理具は、処理すべき水中に没することで溶出される金属イオンによって所定の水処理を行う水処理具であって、炭素を含む繊維シートの少なくとも片面に炭素よりも電位の低い（イオン化傾向が大きい）金属を蒸着メッキコーティングすることにより、前記炭素を含む繊維シート面全体に炭素を含む繊維シートと前記金属との接触境界部分が水に接触する状態で露出形成されていることを特徴とする手段とした。
【００１１】
請求項６記載の水処理具は、請求項５に記載の水処理具において、前記シート状水処理具を複数枚重ねもしくは１枚のシート状水処理具を複数回折り曲げもしくは折回して重ね、これを重ね方向にニードルパンチングして前記繊維シートの繊維同士を互いに絡ませることにより前記蒸着メッキ金属が炭素繊維シートに密着された状態に維持されていることを特徴とする手段とした。
【００１２】
請求項７記載の水処理具は、処理すべき水中に没することで溶出される金属イオンによって所定の水処理を行う水処理具であって、炭素を含む繊維シートにおける各繊維の表面の略全面に炭素よりも電位の低い（イオン化傾向が大きい）金属を蒸着メッキコーティングした金属メッキシートと炭素を含む繊維シートを１枚ずつ若しくは交互に複数枚重ね、これを重ね方向にニードルパンチングして前記繊維シートの繊維同士を互いに絡ませることにより前記金属メッキシートにおける前記蒸着メッキ金属が炭素を含む繊維シートに密着された状態に維持されていることを特徴とする手段とした。
【００１３】
請求項８記載の水処理具は、処理すべき水中に没することで溶出される金属イオンによって所定の水処理を行う水処理具であって、炭素を含む２枚の繊維シートの間に炭素よりも電位の低い（イオン化傾向が大きい）金属箔を挟んだ状態で、これを重ね方向にニードルパンチングして前記繊維シートの繊維同士を互いに絡ませることにより前記金属箔の両面全体に亘り前記炭素を含む２枚の繊維シートの各繊維に密着された状態に維持されていることを特徴とする手段とした。
【００１４】
請求項９記載の水処理具は、処理すべき水中に没することで溶出される金属イオンによって所定の水処理を行う水処理具であって、炭素を含む繊維シートの間に炭素よりも電位の低い（イオン化傾向が大きい）金属箔を１枚ずつ若しくは交互に複数枚重ねて最上層と最下層が前記繊維シートになるように積層させた状態で、これを重ね方向にニードルパンチングして前記繊維シートの繊維同士を互いに絡ませることにより前記金属箔の両面全体に亘り前記炭素を含む２枚の繊維シートの各繊維に密着された状態に維持されていることを特徴とする手段とした。
【００１５】
請求項１１記載の水処理具は、処理すべき水中に没することで溶出される金属イオンによって所定の水処理を行う水処理具であって、炭素を含む繊維シートと炭素よりも電位の低い（イオン化傾向が大きい）金属を含む金属繊維シートを１枚ずつ若しくは交互に複数枚重ね、これを重ね方向にニードルパンチングして前記炭素を含む繊維シートと前記金属繊維シートとの繊維同士を互いに絡ませることにより前記炭素を含む繊維シートと金属繊維シートとが互いに密着された状態に維持されていることを特徴とする手段とした。
【００１６】
請求項１１記載の水処理具は、処理すべき水中に没することで溶出される金属イオンによって所定の水処理を行う水処理具であって、２枚の熱可塑性樹脂シート相互間に炭素を含む繊維シートと該炭素よりも電位の低い（イオン化傾向が大きい）金属箔を重ねた状態で任意間隔のもとに複数個所に貫通孔が穿設されたものを挟みこみ、これを加圧状態で加熱して前記貫通孔の部分で２枚の熱可塑性樹脂シートを接合させることにより前記４層が接合一体化され、前記２枚の熱可塑性樹脂シートのうち、前記金属箔側の樹脂シートの外面には所定の箇所への粘着固定が可能な粘着剤層が形成され、前記炭素を含む繊維シート側の樹脂シートには多数の小孔が形成されることにより、前記炭素を含む繊維シートと前記金属箔との接触境界部分が前記多数の小孔を介して水と接触する状態で露出形成されていることを特徴とする手段とした。
【００１７】
請求項１２記載の水処理具は、処理すべき水中に没することで溶出される金属イオンによって所定の水処理を行う水処理具であって、炭素を含む粒、塊等の表面の一部に炭素よりも電位の低い（イオン化傾向が大きい）金属を蒸着メッキコーティングすることにより、前記炭素を含む粒、塊等の表面に前記金属との接触境界部分が水に接触する状態で露出形成されていることを特徴とする手段とした。
【発明の効果】
【００１８】
本発明請求項１記載の水処理具では、上述のように、炭素を含む繊維シートと炭素よりも電位の低い（イオン化傾向が大きい）金属板を１枚ずつ、若しくは複数枚を交互に重ねた状態で金属が外面になるように巻回し、これをプレスまたは圧延により重ね方向に押し潰して炭素を含む繊維シートと金属板とを互いに密着させた状態に維持させた構成とすることにより、両端面に炭素を含む繊維シートと金属板との接触境界部分が水と接触する状態で露出形成されている構成とすることにより、これを処理すべき水中に没した状態にすると、両端面に形成された炭素を含む繊維シートと金属板との接触境界部分において、局部電池が形成され、炭素より電位の低い金属板が酸化する際に水中に金属イオンが効率的に溶出される。
そして、プレスまたは圧延により重ね方向に押し潰して炭素を含む繊維シートと金属板とを互いに密着させることにより、金属板の保形力により、金属との密着維持状態が困難な炭素を含む繊維シートを金属板と密着させた状態に維持させることができるようになる。
従って、効率的な金属イオンの溶出を長期に亘り持続させることができるようになるという効果が得られる。
【００１９】
請求項２記載の水処理具では、上述のように、押し潰す際に金属板の溶融点以上の温度を短時間だけ加えることにより、金属板を完全に溶融させることなしに炭素を含む繊維シートの少なくとも一部が金属板内に鋳込まれた状態に構成されることにより、炭素を含む繊維シートと金属板との密着状態を確実に維持させることができるようになる。
【００２０】
請求項３記載の水処理具では、上述のように、押し潰された前記炭素を含む繊維シート及び金属板を貫く孔を多数切削もしくは打ち抜くことにより、該各孔の内周面に炭素を含む繊維シートと金属板との接触境界部分が水に接触する状態で露出形成されている構成とすることにより、単位体積当たりの金属イオンの溶出量を増大させることができるようになる。
【００２１】
請求項４記載の水処理具では、上述のように、押し潰された炭素を含む繊維シート及び金属板に千鳥状に切れ目を入れて押し広げて略菱形網目状に加工することにより、押し広げられた各切れ目部分に炭素を含む繊維シートと金属板との接触境界部分が水に接触する状態で露出形成されている構成とすることにより、材料を無駄にすることなしに、単位面積当たりの金属イオンの溶出量を多くすることができるようになる。
また、各切れ目を押し広げることにより金属が脆弱化して酸化し易くなり、これにより、金属イオンの溶出量をさらに増やすことができるようになる。
また、切れ目部分が多数形成されることで、通水性が確保されるため、流れがある部分において特に威力を発揮することができるようになる。
【００２２】
請求項５記載の水処理具では、上述のように、炭素を含む繊維シートの少なくとも片面に炭素よりも電位の低い（イオン化傾向が大きい）金属を蒸着メッキコーティングすることにより、炭素を含む繊維シート面全体に炭素を含む繊維シートと金属との接触境界部分が水に接触する状態で露出形成されている構成とすることにより、金属との密着維持状態が困難な炭素を含む繊維シートを金属と密着させた状態に維持させることができるようになると共に、金属イオンの溶出部分が表面全体に亘るため、単位面積当たりの金属イオンの溶出量を多くすることができるようになる。
また、炭素を含む繊維シートの通水性が維持されるため、浄水器内等、流れのある部分において特に威力を発生させることができ、また、これを濾過シートとして機能させることができるようになる。
【００２３】
請求項６記載の水処理具では、上述のように、請求項５に記載のシート状水処理具を複数枚重ねもしくは１枚のシート状水処理具を複数回折り曲げもしくは折回して重ね、これを重ね方向にニードルパンチングして繊維シートの繊維同士を互いに絡ませることにより蒸着メッキ金属が炭素繊維シートに密着された状態に維持されている構成とすることにより、金属との密着維持状態が困難な炭素を含む繊維シートを金属と密着させた積層状態に維持させることができるため、効率的な金属イオンの溶出を長期に亘り持続させることができるようになると共に、単位体積当たりの金属イオンの溶出量を多くすることができると共に、水処理具のコンパクト化が可能になるようになる。
【００２４】
請求項７記載の水処理具では、上述のように、炭素を含む繊維シートにおける各繊維の表面の略全面に炭素よりも電位の低い（イオン化傾向が大きい）金属を蒸着メッキコーティングした金属メッキシートと炭素を含む繊維シートを１枚ずつ若しくは交互に複数枚重ね、これを重ね方向にニードルパンチングして繊維シートの繊維同士を互いに絡ませることにより金属メッキシートにおける蒸着メッキ金属が炭素を含む繊維シートに密着された状態に維持されている構成とすることにより、金属との密着維持状態が困難な炭素を含む繊維シートを金属と密着させた状態に維持させることができるため、効率的な金属イオンの溶出を長期に亘り持続させることができるようになると共に、単位体積当たりの金属イオンの溶出量を多くすることができるようになると共に、水処理具のコンパクト化が可能になる。
【００２５】
請求項８記載の水処理具は、処理すべき水中に没することで溶出される金属イオンによって所定の水処理を行う水処理具であって、炭素を含む２枚の繊維シートの間に炭素よりも電位の低い（イオン化傾向が大きい）金属箔を挟んだ状態で、これを重ね方向にニードルパンチングして前記繊維シートの繊維同士を互いに絡ませることにより金属箔の両面全体に亘り炭素を含む２枚の繊維シートの各繊維に密着された状態に維持されている構成とすることにより、金属との密着維持状態が困難な炭素を含む繊維シートを金属箔と密着させた状態に維持させることができるため、効率的な金属イオンの溶出を長期に亘り持続させることができるようになると共に、単位面積当たりの金属イオンの溶出量を多くすることができるようになる。
【００２６】
請求項９記載の水処理具は、処理すべき水中に没することで溶出される金属イオンによって所定の水処理を行う水処理具であって、炭素を含む繊維シートの間に炭素よりも電位の低い（イオン化傾向が大きい）金属箔を１枚ずつ若しくは交互に複数枚重ねて最上層と最下層が繊維シートになるように積層させた状態で、これを重ね方向にニードルパンチングして繊維シートの繊維同士を互いに絡ませることにより金属箔の両面全体に亘り前記炭素を含む２枚の繊維シートの各繊維に密着された状態に維持されている構成とすることにより、金属との密着維持状態が困難な炭素を含む繊維シートを金属箔と密着させた状態に維持させることができるため、効率的な金属イオンの溶出を長期に亘り持続させることができるようになると共に、単位体積当たりの金属イオンの溶出量を多くすることができるようになると共に、水処理具のコンパクト化が可能になる。
【００２７】
請求項１０記載の水処理具では、上述のように、炭素を含む繊維シートと炭素よりも電位の低い（イオン化傾向が大きい）金属を含む金属繊維シートを１枚ずつ若しくは交互に複数枚重ね、これを重ね方向にニードルパンチングして炭素を含む繊維シートと金属繊維シートとの繊維同士を互いに絡ませることにより炭素を含む繊維シートと金属繊維シートとが互いに密着された状態に維持されている構成とすることにより、金属との密着維持状態が困難な炭素を含む繊維シートを金属と密着させた状態に維持させることができるため、効率的な金属イオンの溶出を長期に亘り持続させることができるようになると共に、単位体積当たりの金属イオンの溶出量を多くすることができるようになると共に、水処理具のコンパクト化が可能になる。
【００２８】
請求項１１記載の水処理具では、上述のように、２枚の熱可塑性樹脂シート相互間に炭素を含む繊維シートと該炭素よりも電位の低い（イオン化傾向が大きい）金属箔を重ねた状態で任意間隔のもとに複数個所に貫通孔が穿設されたものを挟みこみ、これを加圧状態で加熱して貫通孔の部分で２枚の熱可塑性樹脂シートを接合させることにより４層が接合一体化され、２枚の熱可塑性樹脂シートのうち、金属箔側の樹脂シートの外面には所定の箇所への粘着固定が可能な粘着剤層が形成され、炭素を含む繊維シート側の樹脂シートには多数の小孔が形成されることにより、炭素を含む繊維シートと金属箔との接触境界部分が多数の小孔を介して水と接触する状態で露出形成されている構成としたことにより、金属との密着維持状態が困難な炭素を含む繊維シートを金属と密着させた状態に維持させることができるため、効率的な金属イオンの溶出を長期に亘り持続させることができるようになると共に、前記小孔の数や数量を変えることにより、金属イオンの溶出量を任意に調整することができるようになる。
また、粘着剤層が備えられることで、任意の箇所、例えば浴槽や貯水層等の内面や、船の底部外面等に簡単に粘着固定させることができるようになる。また、薄いシート状にできるため、これをテープ状に形成すれば、用途に応じ、任意の長さに切断して使用することができる。
【００２９】
請求項１２記載の水処理具では、上述のように、炭素を含む粒、塊等の表面の一部に炭素よりも電位の低い（イオン化傾向が大きい）金属を蒸着メッキコーティングすることにより、炭素を含む粒、塊等の表面に金属との接触境界部分が水に接触する状態で露出形成されている構成とすることにより、金属との密着維持状態が困難な炭素を金属と密着させた状態に維持させることができるため、効率的な金属イオンの溶出を長期に亘り持続させることができるようになる。
【発明を実施するための最良の形態】
【００３０】
以下、本発明の実施例を詳細に説明する。
【実施例１】
【００３１】
この実施例１の水処理具は、処理すべき水中に没することで溶出される金属イオンによって所定の水処理を行う水処理具であって、炭素を含む繊維シートと炭素よりも電位の低い（イオン化傾向が大きい）金属板を１枚ずつ、若しくは複数枚を交互に重ねた状態で前記金属が外面になるように巻回し、これをプレスまたは圧延により重ね方向に押し潰して前記炭素を含む繊維シートと前記金属板とを互いに密着させた状態に維持させた構成とすることにより、両端面に前記炭素を含む繊維シートと前記金属板との接触境界部分が水と接触する状態で露出形成されている構成としたものである。
【００３２】
次に、この実施例１の作用・効果を説明する。
以上のように構成された水処理具を、処理すべき水中に没した状態にすると、両端面に形成された炭素を含む繊維シートと金属板との接触境界部分において、局部電池が形成され、炭素より電位の低い金属板が酸化する際に水中に金属イオンが効率的に溶出される。
そして、プレスまたは圧延により重ね方向に押し潰して炭素を含む繊維シートと金属板とを互いに密着させることにより、金属板の保形力により、金属との密着維持状態が困難な炭素を含む繊維シートを金属板と密着させた状態に維持させることができるようになる。
従って、効率的な金属イオンの溶出を長期に亘り持続させることができるようになるという効果が得られる。
【００３３】
なお、前記金属板としては、炭素よりも電位の低い（イオン化傾向が大きい）金属の全てが対象となるもので、各金属より溶出される金属イオンによる作用・効果は以下の通りである。
（１）銅（Ｃｕ）
銅イオンの溶出により、殺菌作用及び殺藻作用が得られる。
従って、この水処理具を花瓶や花器等に収容された水に適用することにより、花瓶や花器内等の水中における雑菌の繁殖を防止し、水中に没した切り花の茎の腐敗が抑制されると共に、雑菌その他の不純物が切り花等の導管に詰まることで水の吸い上げを悪くして切り花等を早期に枯らすことが抑制され、その結果、切り花等を長期間に亙り生きの良い状態に維持させるという延命機能が発揮される。
また、この水処理具を風呂の浴槽やプール等に収容される水に適用することにより、レジネオラ菌等の菌類の発生を防止することができるようになるし、循環水管路やトイレのロータンク内、加湿器のタンク内や水溜め部分等に適用することにより、雑菌の繁殖を防止できるようになる。さらに、水を霧状態で噴出させる超音波式加湿器に適用することにより、銅イオンを含んだ霧を広範囲に散布させることができ、これにより、畜産場、農場、林業、一般住宅、工場等、任意の場所において各種細菌や病原菌を死滅させることが可能になる。
また、この水処理具を水槽に適用することにより、透明な水槽壁面につく藻類の発生を防止することができるようになるし、冷却塔やクーリングタワー等に適用することにより、藻の付着による定期的な清掃を回避できるようになる。
また、この水処理具を池、湖、閉鎖期間中のプール等のように流れや入れ替わりのない水に適用することで、殺藻作用により、あおこの発生を防止することができるようになる。
また、この水処理具を、木酢液や竹酢液に投入することにより、銅イオンを含む木酢液や竹酢液を得ることができる。
【００３４】
（２）銀（Ａｇ）
銀イオンの溶出により、銅イオンより強い殺菌作用が得られるため、銅イオンと同様の用途がある。
【００３５】
（３）錫（Ｓｎ）
錫イオンの溶出により、防腐作用及び清浄作用が得られる。
従って、この水処理具を花瓶や花器等に収容された水に適用することにより、花瓶や花器内等に収容された水の腐敗が大幅に遅延され、水中に没した切り花の茎の腐敗が抑制されると共に、腐敗による不純物が切り花等の導管に詰まることで水の吸い上げを悪くして切り花等を早期に枯らすことが抑制され、その結果、切り花等を長期間に亙り生きの良い状態に維持させるという延命機能が発揮される。
また、水槽に適用することにより、長期に亙って水をきれいな状態に維持させることができるようになる。
【００３６】
（４）アルミニウム（Ａｌ）
アルミニウムイオンの溶出により、凝集沈殿作用が得られる。
このアルミニウムイオンによる凝集沈殿作用により、不純物を沈殿させ、水を澄んだ状態にすることができる。
従って、例えば、銅とアルミニウムとを併用することにより、銅イオンにより殺藻されたあおこをアルミニウムイオンにより凝集させて底部に沈殿させることができるようになる。
【００３７】
（５）マグネシウム（Ｍｇ）
マグネシウムイオンが永続かつ効率的に溶出されるため、例えば、この水処理具を種々の目的に使用される水道水に適用することにより、マグネシウムイオンが水道水に含まれる次亜塩素酸の塩素と結合して塩化マグネシウムに変化させることができるため、塩素による弊害をなくすことができるようになる。
また、水道水、井戸水、天然水等のあらゆる水に適用することにより、酸化還元電位の低い水（アルカリ還元イオン水）を容易かつ低コストにて作ることができるようになる。
さらに、マグネシウムから水素が発生するため、水素豊富水を容易かつ低コストにて作ることができるようになる。
また、マグネシウムから無数の微細な水素の気泡が発生するため、水中に含まれるゴミや不純物をこの無数の微細な気泡と共に水面に上昇させ、これを容易に除去することができるようになる。
また、水素が多量に発生するため、これを水素発生装置に適用することができる。
【００３８】
（６）鉄（Ｆｅ）
鉄イオンが永続かつ効率的に溶出されるため、例えば、この水処理具を川、湖、海水等に適用することにより、溶出された鉄イオンにより、水生動植物の栄養素となって、これらを活性化させることができるようになると共に、鉄イオンが水中の燐と結合して燐酸鉄となり、その結果、水中に含まれる燐の固定化を効果例としてあげることができる。
【００３９】
（７）亜鉛（Ｚｎ）
亜鉛イオンが永続かつ効率的に溶出されるため、例えば、この水処理具を飲料水に適用することにより、現在摂取量が不足がちといわれている亜鉛を容易に摂取することができるようになる。さらに、この水処理具を、例えば、クーリングタワーやプラスチック成形機の冷却システム等の吸水・排水配管等に適用することにより、配管内の水垢やカルシウム等のゴミ成分を低コストにて除去することができるようになる。
【００４０】
次に、本発明の他の実施例について説明する。なお、この他の実施例の説明にあたっては、前記実施例と同様の構成部分についてはその説明を省略し、相違点についてのみ説明する。
【実施例２】
【００４１】
この実施例２の水処理具は、前記実施例１において、プレスまたは圧延により重ね方向に押し潰して前記炭素を含む繊維シートと前記金属板とを互いに密着させた状態に維持させる際に、前記金属板の溶融点以上の温度を短時間だけ加えることにより、前記金属板を完全に溶融させることなしに前記炭素を含む繊維シートの少なくとも一部が前記金属板内に鋳込まれた状態に構成されている点が、前記実施例１とは相違したものである。
従って、この実施例２によれば、炭素を含む繊維シートと金属板との密着状態を確実に維持させることができるようになるという追加の効果が得られる。
【実施例３】
【００４２】
この実施例３の水処理具は、前記実施例１において、プレスまたは圧延により重ね方向に押し潰された前記炭素を含む繊維シート及び前記金属板を貫く孔を多数切削もしくは打ち抜くことにより、該各孔の内周面に前記炭素を含む繊維シートと前記金属板との接触境界部分が水に接触する状態で露出形成されている構成とした点が前記実施例１とは相違したものである。
従って、この実施例３によれば、単位体積当たりの金属イオンの溶出量を増大させることができるようになるという追加の効果が得られる。
【実施例４】
【００４３】
この実施例４の水処理具は、前記実施例１において、プレスまたは圧延により重ね方向に押し潰された前記炭素を含む繊維シート及び前記金属板に千鳥状に切れ目を入れて押し広げて略菱形網目状に加工することにより、押し広げられた各切れ目部分に前記炭素を含む繊維シートと前記金属板との接触境界部分が水に接触する状態で露出形成されている構成とした点が前記実施例１とは相違したものである。
従って、この実施例４によれば、材料を無駄にすることなしに、単位面積当たりの金属イオンの溶出量を多くすることができるようになるという追加の効果が得られる。
また、各切れ目を押し広げることにより金属が脆弱化して酸化し易くなり、これにより、金属イオンの溶出量をさらに増やすことができるようになる。
また、切れ目部分が多数形成されることで、通水性が確保されるため、流れがある部分において特に威力を発揮することができるようになる。
【実施例５】
【００４４】
この実施例５の水処理具は、炭素を含む繊維シートの少なくとも片面に炭素よりも電位の低い（イオン化傾向が大きい）金属を蒸着メッキコーティングすることにより、前記炭素を含む繊維シート面全体に炭素を含む繊維シートと前記金属との接触境界部分が水に接触する状態で露出形成されている構成としたものである。
従って、この実施例５によれば、金属との密着維持状態が困難な炭素を含む繊維シートを金属と密着させた状態に維持させることができるようになると共に、金属イオンの溶出部分が表面全体に亘るため、単位面積当たりの金属イオンの溶出量を多くすることができるようになるという追加の効果が得られる。
また、炭素を含む繊維シートの通水性が維持されるため、浄水器内等、流れのある部分において特に威力を発生させることができ、また、これを濾過シートとして機能させることができるようになる。
【実施例６】
【００４５】
この実施例６の水処理具は、前記実施例５のシート状水処理具を複数枚重ねもしくは１枚のシート状水処理具を複数回折り曲げもしくは折回して重ね、これを重ね方向にニードルパンチングして前記繊維シートの繊維同士を互いに絡ませることにより前記蒸着メッキ金属が炭素繊維シートに密着された状態に維持されている構成した点が、前記実施例５とは相違したものである。
従って、この実施例５によれば、金属との密着維持状態が困難な炭素を含む繊維シートを金属と密着させた積層状態に維持させることができるため、効率的な金属イオンの溶出を長期に亘り持続させることができるようになると共に、単位体積当たりの金属イオンの溶出量を多くすることができると共に、水処理具のコンパクト化が可能になる。
【実施例７】
【００４６】
この実施例７の水処理具は、炭素を含む繊維シートにおける各繊維の表面の略全面に炭素よりも電位の低い（イオン化傾向が大きい）金属を蒸着メッキコーティングした金属メッキシートと炭素を含む繊維シートを１枚ずつ若しくは交互に複数枚重ね、これを重ね方向にニードルパンチングして前記繊維シートの繊維同士を互いに絡ませることにより前記金属メッキシートにおける前記蒸着メッキ金属が炭素を含む繊維シートに密着された状態に維持されている構成としたものである。
従って、この実施例７によれば、金属との密着維持状態が困難な炭素を含む繊維シートを金属と密着させた状態に維持させることができるため、効率的な金属イオンの溶出を長期に亘り持続させることができるようになると共に、単位体積当たりの金属イオンの溶出量を多くすることができるようになると共に、水処理具のコンパクト化が可能になる。
【実施例８】
【００４７】
この実施例８の水処理具は、炭素を含む２枚の繊維シートの間に炭素よりも電位の低い（イオン化傾向が大きい）金属箔を挟んだ状態で、これを重ね方向にニードルパンチングして前記繊維シートの繊維同士を互いに絡ませることにより前記金属箔の両面全体に亘り前記炭素を含む２枚の繊維シートの各繊維に密着された状態に維持されていることを特徴とする水処理具。
従って、この実施例８によれば、金属との密着維持状態が困難な炭素を含む繊維シートを金属箔と密着させた状態に維持させることができるため、効率的な金属イオンの溶出を長期に亘り持続させることができるようになると共に、単位面積当たりの金属イオンの溶出量を多くすることができるようになる。
【実施例９】
【００４８】
この実施例９の水処理具は、炭素を含む繊維シートの間に炭素よりも電位の低い（イオン化傾向が大きい）金属箔を１枚ずつ若しくは交互に複数枚重ねて最上層と最下層が前記繊維シートになるように積層させた状態で、これを重ね方向にニードルパンチングして前記繊維シートの繊維同士を互いに絡ませることにより前記金属箔の両面全体に亘り前記炭素を含む２枚の繊維シートの各繊維に密着された状態に維持されている構成としたものである。
従って、この実施例９によれば、金属との密着維持状態が困難な炭素を含む繊維シートを金属箔と密着させた状態に維持させることができるため、効率的な金属イオンの溶出を長期に亘り持続させることができるようになると共に、単位体積当たりの金属イオンの溶出量を多くすることができるようになると共に、水処理具のコンパクト化が可能になる。
【実施例１０】
【００４９】
この実施例１０の水処理具は、炭素を含む繊維シートと炭素よりも電位の低い（イオン化傾向が大きい）金属を含む金属繊維シートを１枚ずつ若しくは交互に複数枚重ね、これを重ね方向にニードルパンチングして前記炭素を含む繊維シートと前記金属繊維シートとの繊維同士を互いに絡ませることにより前記炭素を含む繊維シートと金属繊維シートとが互いに密着された状態に維持されている構成としたものである。
従って、この実施例１０によれば、金属との密着維持状態が困難な炭素を含む繊維シートを金属と密着させた状態に維持させることができるため、効率的な金属イオンの溶出を長期に亘り持続させることができるようになると共に、単位体積当たりの金属イオンの溶出量を多くすることができるようになると共に、水処理具のコンパクト化が可能になる。
【実施例１１】
【００５０】
この実施例１１の水処理具は、２枚の熱可塑性樹脂シート相互間に炭素を含む繊維シートと該炭素よりも電位の低い（イオン化傾向が大きい）金属箔を重ねた状態で任意間隔のもとに複数個所に貫通孔が穿設されたものを挟みこみ、これを加圧状態で加熱して貫通孔の部分で２枚の熱可塑性樹脂シートを接合させることにより４層が接合一体化され、２枚の熱可塑性樹脂シートのうち、金属箔側の樹脂シートの外面には所定の箇所への粘着固定が可能な粘着剤層が形成され、炭素を含む繊維シート側の樹脂シートには多数の小孔が形成されることにより、炭素を含む繊維シートと金属箔との接触境界部分が多数の小孔を介して水と接触する状態で露出形成されている構成としたものである。
従って、この実施例１１によれば、金属との密着維持状態が困難な炭素を含む繊維シートを金属と密着させた状態に維持させることができるため、効率的な金属イオンの溶出を長期に亘り持続させることができるようになると共に、前記小孔の数や数量を変えることにより、金属イオンの溶出量を任意に調整することができるようになる。
また、粘着剤層が備えられることで、任意の箇所、例えば浴槽や貯水層等の内面や、船の底部外面等に簡単に粘着固定させることができるようになる。また、薄いシート状にできるため、これをテープ状に形成すれば、用途に応じ、任意の長さに切断して使用することができる。
【実施例１２】
【００５１】
この実施例１２の水処理具は、炭素を含む粒、塊等の表面の一部に炭素よりも電位の低い（イオン化傾向が大きい）金属を蒸着メッキコーティングすることにより、前記炭素を含む粒、塊等の表面に前記金属との接触境界部分が水に接触する状態で露出形成されている構成としたものである。
従って、この実施例１１によれば、金属との密着維持状態が困難な炭素を金属と密着させた状態に維持させることができるため、効率的な金属イオンの溶出を長期に亘り持続させることができるようになる。
【００５２】
以上本発明の実施例を説明してきたが、本発明は上述の実施例に限られるものではなく、発明の要旨を逸脱しない範囲の設計変更等があっても本発明に含まれる。
例えば、実施例では、イオン化傾向の大きい電位の低い金属として、錫（Ｓｎ）、鉄（Ｆｅ）、亜鉛（Ｚｎ）、アルミニウム（Ａｌ）、銅（Ｃｕ）、マグネシウム（Ｍｇ）、銀（Ａｇ）を例にあげたが、その他の全ての金属を用いることができ、また、それらの合金を用いることもできる。
【００５３】
また、実施例５では、炭素を含む繊維シートの少なくとも片面に炭素よりも電位の低い（イオン化傾向が大きい）金属を蒸着メッキコーティングしたが、炭素繊維をパルプに混ぜた状態の炭素繊維入りのシートの片面または両面に電位の低い（イオン化傾向が大きい）金属を蒸着メッキコーティングするようにしてもよい。また、炭層を含むシートは、織布状や不織布状のものに変えることができる。
【００５４】
また、実施例では、炭素を含む２枚の繊維シートの間に炭素よりも電位の低い（イオン化傾向が大きい）金属箔を挟んだ状態としたが、この金属箔に変えて、フィルムシートの両面に金属を蒸着メッキコーティングしたものを用いることができる。
【００５５】
また、実施例１０では、炭素を含む繊維シートと炭素よりも電位の低い（イオン化傾向が大きい）金属を含む金属繊維シートを用いたが、この金属繊維シートは、金属以外の化学繊維等の繊維の表面に金属を蒸着させたものに変えることができる。
【００５６】
また、炭素を含む繊維シートにおける各繊維の表面の略全面に炭素よりも電位の低い（イオン化傾向が大きい）金属を蒸着メッキコーティングした金属メッキシートの片面または両面の一部の金属をショットブラスト等により剥がすことにより、繊維シートと金属との接触境界部分が水に接する状態となるようにしてもよい。
なお、炭素含む繊維シートと炭素よりも電位の低い（イオン化傾向が大きい）金属との接触境界部分に局部電池が形成されると、起電電圧により殺菌作用が得られる。